(57)【要約】      （修正有）【課題】ＮＭＳを用いてエンドツーエンドのビューを与える電気通信システムを管理することに関する。【解決手段】電気通信システムは、第１サイトを具えている。システムは、第１サイトと通信する入口ノードを具えている。システムは、入口ノードと通信するネットワークを具えている。システムは、ネットワークと通信する出口ノードを具えている。システムは、出口ノードと通信する第２サイトを具えている。システムは、ネットワークと通信するＮＭＳを具えており、ＮＭＳでは、第１及び第２サイトと、入口及び出口ノードと、ネットワークとで定義される統合されたエンドツーエンドビューが格納される。電気通信システムを管理する方法に関する。その方法は、ネットワークにあって関連した複数のオブジェクトの間の関係について、統合されたエンドツーエンドビューを特定するステップを含む。ＮＭＳに統合されたビューを格納するステップがある。【選択図】図１
2005341566.tif 000002
【特許請求の範囲】
【請求項１】
第１サイトと、
第１サイトと通信する入口ノードと、
入口ノードと通信するネットワークと、
ネットワークと通信する出口ノードと、
出口ノードと通信する第２サイトと、
ネットワークと通信するＮＭＳであって、第１及び第２サイトと、入口及び出口ノードと、ネットワークとで定義される統合されたエンドツーエンドビューが格納されるＮＭＳとを具える電気通信システム。
【請求項２】
ネットワークにあって関連する複数のオブジェクトの間の関係について、統合されたエンドツーエンドビューを特定するステップと、
統合されたビューをＮＭＳに格納するステップとを含む電気通信システムを管理する方法。
【請求項３】
特定するステップは、サイトレベル及びネットワークレベルの構成要素を特定するステップを含んでおり、それら構成要素には、ネットワークレベルの入口ノードと出口ノードが含まれる、請求項２に記載の方法。
【請求項４】
特定するステップは、統合されたエンドツーエンドビューを、ＮＭＳから見つけるステップを含む、請求項３に記載の方法。
【請求項５】
特定するステップは、サイトレベル及びネットワークレベルの構成要素をリストアップすることで、統合されたエンドツーエンドビューを形成するステップを含む、請求項３に記載の方法。
【発明の詳細な説明】
【技術分野】
【０００１】
本発明は、電気通信システムの管理に関する。より詳細には、本発明は、ＮＭＳを用いてエンドツーエンドのビュー(end-to-end view)を与える電気通信システムを管理することに関する。
【背景技術】
【０００２】
現代のネットワークの特徴は、それらを構成する技術(例えば、ＩＰ、ＭＰＬＳ、ＡＴＭ、フレームリレー、イーサネット、ＨＤＬＣ等)の範囲が増加していることである。これら技術の管理は、現存するネットワーク管理システム(ＮＭＳ)を用いて、バラバラに行われる傾向があった。このように、個々の技術は、障害、設定、アカウンティング、パフォーマンス、セキュリティ等の典型的な機能において別々に管理されていた。この断片的なアプローチの問題は、エンドツーエンドのビューポイントを、現存する多数のＮＭＳツールを用いて実現することが困難なことである。より悪いことに、今なお、幾つかのベンダーの間には、彼らのＮＭＳアプリケーションを分割する傾向があって、複雑なネットワークサービスの様々な構成要素を管理するために、様々なアプリケーションが提供されている。
【０００３】
ネットワーク管理がバリューチェーン(Value Chain)を促進するにつれて、低レベルな異質の構成要素の集まりではなく、エンドツーエンドのネットワーク「サービス」の光景を見せ、それを取り扱う必要が生じてきている。このようなサービスの一例に、ＩＰ ＶＰＮがある。これは、マルチノードなマルチテクノロジーのサービスであって、図１に示すように、多数の企業のサイトが、サービスプロバイダのＭＰＬＳネットワークのコアに亘って相互に接続されている。ＶＰＮの技術にはその他の構成及び用途も存在するが、説明の目的から、比較的簡単な例が選択されている。
【０００４】
図１では、２つのＶＰＮ(ＶＰＮ Ａ及びＶＰＮ Ｂ)が示されており、それらは、サービスプロバイダによって、そのネットワーク内のＮＭＳを用いて生成されている。ＶＰＮは、ユーザに対して商業的なサービスとして提供されている(この場合、図１に示された企業のサイト)。通常、ユーザは、データのプライバシー(トラフィックがＶＰＮの間を通過しない)、サービスのクオリティ(ＱｏＳ)、サービスレベルの一致(agreement)、暗号化等の機能を購入するであろう。サービスプロバイダは、これを満足するために進歩したＮＭＳテクノロジーを導入する必要があって、このことが、サービスのサポートが必要とされる理由となる。まとめると、図１のＶＰＮは、ノード固有の入口インターフェイス(ingress interface)、ＶＲＦ、ＲＤ、ＲＴ及びコアＬＳＰの集まりでなされている。これら全部が、総合的なＶＰＮサービスを作り出している。典型的なＶＰＮの配置は、数百のＰＥノードと、数千のＶＰＮとから構成され得る。
【０００５】
このサービスオブジェクトの発明は、このようなマルチサービスのネットワークの統合された表現及びビューを与える試みである。この問題が解決されなかった理由の１つに、(エンドツーエンドの細部を確保するために)大量の相互接続データについてネットワークをポーリングすることから起こるスケールの問題がある。
【発明の開示】
【０００６】
本発明は、電気通信システムに関する。システムは、第１サイトを具えている。システムは、第１サイトと通信する入口ノードを具えている。システムは、入口ノードと通信するネットワークを具えている。システムは、ネットワークと通信する出口ノード(egress node)を具えている。システムは、出口ノードと通信する第２サイトを具えている。システムは、ネットワークと通信するＮＭＳを具えており、ＮＭＳには、第１及び第２サイトと、入口及び出口ノードと、ネットワークとで定義される統合されたエンドツーエンドビューが格納される。
【０００７】
本発明は、電気通信システムを管理する方法に関する。その方法は、ネットワークにあって関連した複数のオブジェクトの間の関係について、統合されたエンドツーエンドビューを特定するステップを含む。
【発明を実施するための最良の形態】
【０００８】
幾つかの図面を通じて、類似又同じ部分には類似の符号が付されている。図１には、電気通信システム(10)が示されている。システム(10)は、第１サイト(12)を具えている。システム(10)は、第１サイト(12)と通信する入口ノード(14)を具えている。システム(10)は、入口ノード(12)と通信するネットワーク(16)を具えている。システム(10)は、ネットワーク(16)と通信する出口ノード(18)を具えている。システム(10)は、出口ノード(18)と通信する第２サイト(20)を具えている。システム(10)は、ネットワーク(16)と通信するＮＭＳ(22)を具えており、ＮＭＳ(22)には、第１及び第２サイト(12)(20)と、入口及び出口ノード(14)(18)と、ネットワーク(16)とで定義される統合されたエンドツーエンドビューが格納される。
【０００９】
本発明は、電気通信システム(10)を管理する方法に関する。その方法は、ネットワークにあって関連した複数のオブジェクトの間の関係について、統合されたエンドツーエンドビューを特定するステップを含む。その統合されたビューを、ＮＭＳ(22)に格納するステップがある。
【００１０】
特定するステップは、サイトレベル(24)及びネットワークレベル(26)の構成要素を特定するステップを含むのが好ましく、それら構成要素には、ネットワークレベル(26)の入口ノード(14)と出口ノード(18)とが含まれる。特定するステップは、統合されたエンドツーエンドビューを、ＮＭＳ(22)から見つけるステップを含むのが好ましい。
【００１１】
特定するステップは、サイトレベル(24)及びネットワークレベル(26)の構成要素をリストアップすることで、統合されたエンドツーエンドビューを形成するステップを含む。
【００１２】
本発明の動作において、サービスオブジェクトの重要な特徴は、それは、大きなトラフィックをネットワーク(16)に追加しない一方で、同時に、ＮＭＳ(22)のユーザにエンドツーエンドビューを与えることが可能なことである。これは、図２に示すように、ネットワーク(16)よりもＮＭＳ(22)のデータベースを利用することで達成される。
【００１３】
図２では、サービスプロバイダは、ＮＭＳ(22)を用いて、ネットワークにあるサービスの構成要素を発見するが、さらに複雑なサービスオブジェクトの発見は、容量の大きなデータベースのみを用いて導かれる。このことは、ネットワーク(16)上の負荷を制限しないが、サービスプロバイダが、関連するサービスオブジェクトのエンドツーエンドビューによる全ての利益を得ることを可能にする。
【００１４】
本発明の価値は、ネットワーク(16)のオペレータ(ＮＭＳ(22)のオーナー)が、彼らの抽象的なサービスの構成要素を見ることを始め得ることである。これは、関連する製品の差別化をもたらすことに加えて、マルチサービスのネットワークを管理するコストを低減する助けにもなるだろう。サービスプロバイダは、高度に差別化されたサービスを販売して、ＮＭＳ(22)のサービスオブジェクトを用いて、それらを効率的に管理できる。
【００１５】
このようなサービスの例に、５Ｍｂｐｓが保証された２つのオフィス間のＷＡＮリンクがある。図３に示すように一方のオフィスはダラスにあり、他方のオフィスはニューヨークにある。
【００１６】
これは、図１と概念的には似ているが、専用回線(leased line)の置き換えがされている点が異なる。２つの場所間で専用で高価な回線を借りる代わりに、仮想回線が利用されている。後者は、以下の要素で構成されている：
１．ＨＱサイトからのＡＴＭカスタマーハンドオフサービス。
２．ＰＥ１でのＡＴＭツーＭＰＬＳ相互作用ファシリティ。
３．サービスプロバイダの内部における、１対のＭＰＬＳ仮想接続(例えば、ＬＳＰ ＡとＬＳＰ Ｂ)。
４．ＰＥ２でのフレームリレーツーＭＰＬＳ相互作用ファシリティ。
５．支社サイトからのフレームリレーカスタマーハンドオフサービス。
【００１７】
これらエンティテイを組み合わせて、サービスオブジェクトが作り出される。そして、サービスプロバイダは、上記の構成要素で作られた、企業の顧客へのエンドツーエンドサービスパッケージサービスを販売するだろう。サービスレベル保証の一致(例えば、１０Ｍｂｐｓ保証)のようなサービスに関係したさらなる構成要素があってもよい。サービスオブジェクトは容易に拡張されて、これを提供する。
【００１８】
サービスの各構成要素は、１つのサービスオブジェクト全体に属するように、ＮＭＳ(22)にてマークされる。サービスオブジェクトは、ネットワーク(16)で要求されるように、生成/変更/削除される。サービスのライフサイクルの間、対応するサービスオブジェクトが存在して、実際に展開されるネットワーク(16)サービスにマップされる。
【００１９】
サービスオブジェクトの価値は、サービスプロバイダが、このようなマルチノードでマルチコンポーネントなサービスを生成し、監視し、更新し、削除することを容易にすることにある。このようなサービスに関するその他多数の例が、例えば、ＩＰ ＶＰＮ、レイヤー２ＶＰＮ、専用回線置換え等が、一般的になりつつある。サービスオブジェクト技術は拡張されて、これらのサービス及びその他の今のところ知られていないサービスをサポートできる。
【００２０】
説明を目的として、上述の実施例について本発明を詳細に記載したが、このような詳細は単に説明を目的としたものであって、当該分野の専門家によれば、添付されている特許請求の範囲に記載されている場合を除いて、本発明の精神及び範囲から逸脱することなく、その詳細について種々の変形をなし得ることが理解されるだろう。
【図面の簡単な説明】
【００２１】
添付の図面には、本発明の好ましい実施例と、本発明を実施する好ましい方法とが図示されている。
【図１】図１は、本発明のシステムの概略図である。
【図２】図２は、ネットワークよりもデータベースを利用する模様を示す概略図である。
【図３】図３は、企業のＷＡＮを伴ったシステムの概略図である。
【図４】図４は、ＭＰＬＳトンネルトランクサービスの概略図である。
【図１】
2005341566.tif 000003
【図２】
2005341566.tif 000004
【図３】
2005341566.tif 000005
【図４】
2005341566.tif 000006
【外国語明細書】
2005341566.tif 000007
2005341566.tif 000008
2005341566.tif 000009
2005341566.tif 000010
2005341566.tif 000011
2005341566.tif 000012
2005341566.tif 000013
2005341566.tif 000014
2005341566.tif 000015
2005341566.tif 000016
2005341566.tif 000017
2005341566.tif 000018
2005341566.tif 000019